(57)【特許請求の範囲】
【請求項１】
患者の身体に電流を印加して、身体の部位の生体インピ−ダンスを測定する生体インピ−ダンス測定手段と、患者の患部を治療する治療手段と、を備え、前記測定したインピ−ダンスに基づいて患部を治療するようにし、
さらに、
前記患部を治療する前に測定した第一のインピ−ダンスと治療した後に測定した第二のインピ−ダンスをそれぞれ記憶する記憶手段と、
前記第一のインピ−ダンスと第二のインピ−ダンスの間の変化量を求める手段と、
前記第一のインピ−ダンスと第二のインピ−ダンスの間の変化量に基づいて、前記治療の効果度を求める手段と、
前記治療の効果度に基づいて、次回の治療の強度及び時間等の前記治療手段の設定を求める演算手段とを備え、
前記強度及び時間等の設定に基づいて次回の治療をするように、前記治療手段を制御することを特徴とするインピ−ダンス測定機能付き治療器。
【請求項２】
前記測定したインピ−ダンスに基づいて、治療する患部を探査する探査機能を備えたことを特徴とする請求項１に記載のインピ−ダンス測定機能付き治療器。
【発明の詳細な説明】
【０００１】
【発明の属する技術分野】
本発明は、身体のインピ−ダンスを測定し、この測定値に基づいて患者の患部の治療を効果的に行うことができるようにしたインピ−ダンス測定機能付き治療器に関する。
【０００２】
【従来の技術】
従来から公知の治療器には、電気治療器としては、低周波治療器、温灸治療器等があり、低周波治療器にさらに別の機能を兼ね備えたものもある。例えば、特開昭５０−１２８３８６号公報に開示された電気治療器では、低周波治療器にツボ探査機能を兼ね備えさせており、特開平７−３１３５７０号公報に開示された電気治療器では、低周波治療器にツボ探査機能、及び温熱または温灸治療機能を兼ね備えさせたものが開示されている。これらの公報に開示された従来の電気治療器は、複数の治療機能を備えて、これらを併用すると共に、治療に先立ってツボ探査を行うことにより、治療効果を向上させることができるものである。
【０００３】
【発明が解決しようとする課題】
しかしながら、前述したような従来の電気治療器は、低周波治療器に複数の治療機能を備えて、これらを併用すると共に、いずれもツボ探査機能を付加させたものであり、患部を直接的に治療するものではなく、いわゆる東洋医学に基づくツボに刺激等を与えて、患部の治癒の効果をもたらすことを目的としている。また、このようなツボを利用した治療方法については、患部の症状とツボの関連やツボの位置等についての専門的知識を必要とし、従来のツボ探査機能を備えた治療器であっても、そのツボの正確な位置の探査は容易なことではなく、正確な探査が出来難いこともあり、家庭等において、必ずしも手軽に使用できて効果的な治療が行えるというものではなかった。
【０００４】
本発明の目的は、このような従来技術の問題点に鑑み、家庭等において、手軽に使用できる治療器であり、患者の身体に電流を印加して、身体の部位の生体インピ−ダンスを測定して、治療する患部を直接探査すると共に、治療効果を確認しながら患部を効率的に治療できるものを提供することである。
【０００５】
【課題を解決するための手段】
上記課題を解決するため、本発明にかかるインピ−ダンス測定機能付き治療器は、患者の身体に電流を印加して、身体の部位の生体インピ−ダンスを測定する生体インピ−ダンス測定手段と、患者の患部を治療する治療手段と、を備え、前記測定したインピ−ダンスに基づいて患部を治療するようにし、さらに、前記患部を治療する前に測定した第一のインピ−ダンスと治療した後に測定した第二のインピ−ダンスをそれぞれ記憶する記憶手段と、前記第一のインピ−ダンスと第二のインピ−ダンスの間の変化量を求める手段と、前記第一のインピ−ダンスと第二のインピ−ダンスの間の変化量に基づいて、前記治療の効果度を求める手段と、前記治療の効果度に基づいて、次回の治療の強度及び時間等の前記治療手段の設定を求める演算手段とを備え、前記強度及び時間等の設定に基づいて次回の治療をするように、前記治療手段を制御することを特徴とする。
【０００６】
身体において、疲労による血行不良等の影響で、例えば肩こりのような患部が現れるが、このような患部ではインピ−ダンスが上昇するとされている。そして、本発明のインピ−ダンス測定機能付き治療器にあっては、身体の部位の生体インピ−ダンスを測定することで、前記身体部位の状態を知ることができ、患部の治療を効果的に行なうことができるようになっている。従って、本発明のインピ−ダンス測定機能付き治療器によると、家庭内等で手軽に使用でき、肩こりのような患部の治療を効果的に行うことが可能である。
【０００７】
そして、本発明のインピ−ダンス測定機能付き治療器において、前記測定したインピ−ダンスに基づき、治療する患部を探査する探査機能を備えたことを特徴とする。身体部位のインピ−ダンスを測定することで、その周辺部に比べてインピ−ダンスが比較的高くなっている、例えば肩こり等の血行状態の悪い部位を患部として探査することができる。
【０００８】
そして、かかる、インピ−ダンス測定機能付き治療器について、患部を治療する前に測定した第一のインピ−ダンスと、治療した後に測定した第二のインピ−ダンスをそれぞれ記憶する記憶手段を備え、前記第一のインピ−ダンスと第二のインピ−ダンスの間の変化量を求め、表示してもよい。これにより、患部における治療前後のインピ−ダンスを測定し、表示するので、その治療効果の有無や程度を知ることが可能である。
【０００９】
さらに、かかる、インピ−ダンス測定機能付き治療器について、前記患部を治療する前に測定した第一のインピ−ダンスと治療した後に測定した第二のインピ−ダンスの間の変化量に基づいて、前記治療の効果度を求め、表示するようにしてもよい。これにより、患部における治療前後のインピ−ダンスの変化量を治療効果度として表示するので、治療の効果をより明確に知ることが可能である。
【００１０】
また、本発明のインピ−ダンス測定機能付き治療器は、前記治療効果度に基づいて、次回の治療の強度及び時間等の治療手段の各種設定を求める演算手段をさらに備え、前記強度及び時間等の設定に基づいて次回の治療をするように、前記治療手段を制御することを特徴とする。本発明のように、患部を治療する手段は、治療の強度及び時間等の設定に基づいて制御することができ、前記治療効果度に基づいて、次回の治療の強度及び時間等の治療手段の各種設定を求めることで、より効果的な治療が可能である。
【００１１】
また、治療手段として、少なくとも、電氣治療の一つの手段である低周波治療機能を備えることができ、これによって、患部の血行を促進させ、コリを効果的にほぐすと共に、疲労回復、筋肉の疲労緩和、神経痛や筋肉痛の緩和がなされる。
【００１２】
【発明の実施の形態】
次に、添付図面に基づいて、本発明の実施の形態について本発明をより詳細に説明する。
【００１３】
図１は、本発明の第一の実施の形態にかかるインピ−ダンス測定機能付き治療器の外観を概略的に示す図である。また、図２は、図１の治療ヘッド１の下面３の平面図であり、仮面３は患部に直接あてがって治療を行うところである。図１に示すように、この実施の形態の電気治療器は、患部を探査し、患部の低周波治療を行うための治療ヘッド１を備えている。また、治療ヘッド１の下面３には、図２に示すように、身体の部位に接触して、患部探査機能と患部治療効果確認機能及び低周波治療機能を発揮させるための電極群２ａ、２ｂ、２ｃ、２ｄが配設され、患部の探査及び治療効果確認時には、電極２ａ及び２ｄは電流印加用電極として、電極２ｂ及び２ｃはインピ−ダンス計測用電極として作用し、また、患部の低周波治療時には電極２ａ及び２ｄが低周波治療用の電極として作用するようにされている。このように、インピ−ダンス測定時の電極は、所謂４端子測定法に基づく電極構成とされ、電極と身体の皮膚の間の接触インピ−ダンス等の影響を受けないので、身体部位のインピ−ダンスが安定且つ正確に測定できる。そして、治療ヘッド１は支持ア−ム４を介して図１のように操作部６に連結され、操作部５の下部には把持部１１が設けられ、さらに操作部５には表示部６及び操作スイッチ群７〜１０が配設されている。ここで、スイッチ７は電源スイッチを、スイッチ８は各種操作モ−ドでのスタ−トスイッチを示し、そして、スイッチ９はモ−ド切り換えスイッチを示し、さらにスイッチ１０は設定デ−タ選択スイッチを示す。操作部５の内部には、図３のブロック図に示されている電源部２３、患部探査及び患部治療効果確認用のインピ−ダンス測定回路部２２、低周波治療器の電氣回路部２４と、さらに前記電氣回路部２４及びこの電気回路の動作を制御するための中央処理部２６等が内臓されている。また、図示しないが、前記インピ−ダンス計測用電極及び低周波治療用のそれぞれの電極は、支持ア−ム４の内部を通した導電線を介して前記操作部５に内臓した電源部２３、患部探査及び治療効果確認用のインピ−ダンス測定回路部２２、低周波治療器の電氣回路部２４と連結している。なお、前記電源部２３、前記患部探査及び治療効果確認用のインピ−ダンス測定回路部２２及び低周波治療器の電氣回路部２４は、操作部５の内部に設けるのでなく、前記治療ヘッド１の内部に設けるようにしてもよい。
【００１４】
図３は、本発明の第一の実施の形態にかかるインピ−ダンス測定機能付き治療器のブロック図である。本インピ−ダンス測定機能付き治療器では、前述の電極群２ａ〜２ｄと、患部探査、患部治療効果確認及び低周波治療等の各種動作モ−ドと治療効果度の表示を行う表示部５と、電源スイッチ７、各種モ−ドでのスタ−トスイッチ８、モ−ド切り換えスイッチ９、設定デ−タ選択スイッチ１０のスイッチ群７〜１０と、さらに、前記患部探査及び治療効果確認用のインピ−ダンス測定回路部２２と低周波治療器の電氣回路部２４と、前記電極２ａ、２ｄを前記インピ−ダンス測定回路部２２または低周波治療器の電氣回路部２４のいずれかに接続を切り換えるための接点切り換え回路部２１と、電源部２３と、Ｉ／Ｏ部２５、中央処理部２６及び記憶部２７により構成されている。前記インピ−ダンス測定回路部２２は、前記接点切り換え回路部２１を介して前記電極２ａ、２ｄに電流を印加すると共に、電極２ｂ、２ｃ間のインピ−ダンスを測定することにより、患者の身体部位の生体インピ−ダンスを測定することができ、そして、前記低周波治療器の電氣回路部２４は、前記接点切り換え回路部２１を介して前記電極２ａ、２ｄに低周波パルスを印加して患部の治療を行うことができる。また、前記電源部２３は前記インピ−ダンス測定回路部２２及び前記低周波治療器の電氣回路部２４に接続され、これらの回路部に電源電圧を供給する。さらに、前記表示部６，前記スイッチ群７〜１０、前記インピ−ダンス測定回路部２２、前記電源部２３，及び前記低周波治療器の電氣回路部２４は、それぞれＩ／Ｏ部２５を介して本発明の第一の実施の形態であるインピ−ダンス測定機能付き治療器の全ての入出力処理と、全ての回路部の制御等を行う中央処理部２６及び記憶部２７に接続されている。そして、前記記憶部２７では、本実施の形態の治療器の操作プログラム、各測定デ−タ及び各入力デ−タと各演算デ−タ等を記憶することができる。
【００１５】
次に、本実施の形態のインピ−ダンス測定機能付き治療器の動作について、そのメインル−チンである図４のフロ−チャ−ト及びその各サブル−チンである図５乃至図８のフロ−チャ−トに基づいて説明する。まず、図４のメインル−チンのフロ−チャ−トについて説明すると、ステップ１に於いて、図１の電源スイッチ７をＯＮすることで、電源が入り、本治療器が動作可能状態になると共に図１の表示部６が初期状態を示す表示となる。続いてステップ２に於いて、図１のモ−ド切換えスイッチ８を押すことにより、図１の表示部が設定モ−ドの表示に切り換わる。この状態で、ステップ３に於いて、操作者が設定モ−ド選択の判断を行い、設定モ−ドを選択して、本治療器についての各種設定を行おうとする場合には、ステップ４に於いて、図１のスタ−トスイッチ９を押して、ステップ５の設定モ−ドのサブル−チンに入る。さらに、前記設定モ−ドのサブル−チンが完了すれば、前記メインル−チンのステップ２に戻る。また、ステップ３に於いて、操作者が設定モ−ド選択の判断を行い、設定モ−ドを選択しない場合には、次のステップ６に進む。続いて、ステップ６に於いて、図１のモ−ド切換えスイッチ８を押すことにより、図１の表示部が患部探査モ−ドの表示に切り換わる。この状態で、ステップ７に於いて、操作者が設定モ−ド選択の判断を行い、患部探査モ−ドを選択して、本治療器による治療に先立って、身体部位のインピ−ダンスを測定して、患部の探査を行おうとする場合には、ステップ８に於いて、図１のスタ−トスイッチ９を押して、ステップ９の患部探査モ−ドのサブル−チンに入る。さらに、前記患部探査モ−ドのサブル−チンが完了すれば、前記メインル−チンのステップ１０に戻る。また、ステップ７に於いて、操作者が患部探査モ−ド選択の判断を行い、患部探査モ−ドを選択しない場合には、次のステップ１０に進む。続いて、ステップ１０に於いて、図１のモ−ド切換えスイッチ８を押すことにより、図１の表示部が患部治療モ−ドの表示に切り換わる。この状態で、ステップ１１に於いて、操作者が患部治療モ−ド選択の判断を行い、患部治療モ−ドを選択して、前記ステップ９の患部探査モ−ドにて探査した患部に対して治療を行おうとする場合には、ステップ１２に於いて、図１のスタ−トスイッチ９を押して、ステップ１３の患部治療モ−ドのサブル−チンに入る。さらに、前記患部治療モ−ドのサブル−チンが完了すれば、前記メインル−チンのステップ１４に戻る。また、ステップ１１に於いて、操作者が患部治療モ−ド選択の判断を行い、患部治療モ−ドを選択しない場合には、次のステップ１４に進む。続いて、ステップ１４に於いて、図１のモ−ド切換えスイッチ８を押すことにより、図１の表示部が患部治療モ−ドの表示に切り換わる。この状態で、ステップ１５に於いて、操作者が治療効果確認モ−ド選択の判断を行い、治療効果確認モ−ドを選択して、前記ステップ１３の患部治療モ−ドにて治療した患部に対して、その治療効果の確認を行おうとする場合には、ステップ１６に於いて、図１のスタ−トスイッチ９を押して、ステップ１７の治療効果確認モ−ドのサブル−チンに入る。さらに、前記治療効果確認モ−ドのサブル−チンが完了すれば、前記メインル−チンのステップ２に戻る。また、ステップ１５に於いて、操作者が治療効果確認モ−ド選択の判断を行い、治療効果確認モ−ドを選択しない場合にも、メインル−チンのステップ２に戻る。
【００１６】
続いて、図５のフロ−チャ−トに基づいて設定モ−ドに関するル−チンの説明をする。ステップ１に於いて、設定デ−タ選択スイッチ１０をＯＮしてゆくことで、表示部６に低周波治療パルス数の設定デ−タが、例えば５Ｈｚ、１０Ｈｚ及び２０Ｈｚのように３段階で切り替わり表示されるようになっている。そして、ステップ２に於いて、操作者が選択しようとするデ−タが表示された状態において、前記設定デ−タ選択スイッチ１０を、例えば２回続けてＯＮすることにより、前記低周波治療パルス数に関する表示デ−タが選択され、記憶部２７に記憶される。また、ステップ３に於いて、設定デ−タ選択スイッチ１０をＯＮしてゆくことで、表示部６に低周波治療出力強度の設定デ−タが、例えば５０Ｖ、１００Ｖ及び１５０Ｖのように３段階で切り替わり表示されるようになっている。そして、ステップ４に於いて、操作者が選択しようとするデ−タが表示された状態において、前記設定デ−タ選択スイッチ１０を、例えば２回続けてＯＮすることにより、前記低周波治療出力強度に関する表示デ−タが選択され、記憶部２７に記憶される。さらに、ステップ５に於いて、設定デ−タ選択スイッチ１０をＯＮしてゆくことで、表示部６に低周波治療時間の設定デ−タが、例えば５分、１０分及び１５分のように３段階で切り替わり表示されるようになっている。そして、ステップ６に於いて、操作者が選択しようとするデ−タが表示された状態において、前記設定デ−タ選択スイッチ１０を、例えば２回続けてＯＮすることにより、前記低周波治療時間に関する表示デ−タが選択され、記憶部２７に記憶される。このように、本ル−チンにおいて、本実施の形態における治療器の設定が行われる。
【００１７】
続いて、図６のフロ−チャ−トに基づいて患部探査モ−ドに関するル−チンの説明をする。
まず、ステップ１に於いて、接点切り換え回路２１をインピ−ダンス測定モ−ドに切り換える。次にステップ２に於いて、図１の治療ヘッド１の下面部３に配設された電極群２ａ〜２ｄがあてがわれた身体部位、例えば肩の部位等のインピ−ダンスを測定する。さらに、ステップ３に於いて、前記測定されたインピ−ダンスと記憶されている最大インピ−ダンスＺｍａｘとを中央処理部２６において比較して、前記測定されたインピ−ダンスが小さい場合には、ステップ  に進み探査位置の変更を行う。また、前記測定されたインピ−ダンスが大きい場合には、ステップ４に於い、この測定値をＺｍａｘととして更新すると共に、図１の表示部６に表示する。なお、初回測定時には、Ｚｍａｘは初期値として零に設定されている。次に、ステップ５に於いて、操作者が前記更新された測定値Ｚｍａｘが患部であるかどうかの判定を行い、患部と判定した場合には探査を完了し、しない場合は、ステップ  ６に進む。そして前記ステップ６に於いて、探査位置の変更を行った後には、ステップ２に戻り、新たな身体部位におけるインピ−ダンスの測定を行う。このように、本ル−チンに於いては、身体部位の位置を変更しながら、その都度、インピ−ダンスを測定して、最終的に患部と認められる位置で探査を終了し、この身体部位に対して後に説明する治療を行う。また本ル−チンでは更新された測定値Ｚｍａｘが患部であるかどうかの判断を操作者が行うようにしたが、中央処理部２６に於いて自動的に、予め記憶部２６に記憶された基準値と比較するようにしてもよい。
【００１８】
続いて、図７のフロ−チャ−トに基づいて患部治療モ−ドに関するル−チンの説明をする。
まず、ステップ１に於いて、接点切り換え回路２１を低周波治療モ−ドに切り換える。次にステップ２に於いて、前述の患部探査モ−ドのル−チンで探査された患部に対し、低周波治療を開始する。また、この時、低周波パルスを出力する図３の低周波治療回路部２４は、前述の設定モ−ドル−チンで設定された低周波治療パルス数及び低周波治療出力強度に基づいて制御を行う。次に、ステップ３に於いて、同様に前記設定モ−ドル−チンで設定された低周波治療時間のタイマ−がＯＦＦになるまで治療が行われ、ステップ４に於いて患部治療が完了する。また、このル−チンに於いて、治療中及び治療完了の状態を表示部６に表示するようにして、操作者が確認するようにすることもできる。
【００１９】
続いて、図８のフロ−チャ−トに基づいて治療効果確認モ−ドに関するル−チンの説明をする。まず、ステップ１に於いて、接点切り換え回路２１を再びインピ−ダンス測定モ−ドに切り換える。次にステップ２に於いて、前述の患部治療モ−ドのル−チンで治療された患部に対し、インピ−ダンスの測定を行う。続いて、ステップ３に於いて、前記測定された治療後のインピ−ダンスをＺ２として記憶すると共に、ステップ４に於いて、治療前のインピ−ダンス測定値Ｚｍａｘを記憶部２７から読み出して、次のステップ５に於いて、（Ｚｍａｘ−Ｚ２）×１００／Ｚｍａｘの演算を実行する。さらに前記演算結果を治療効果度として記憶部２７に記憶すると共に表示部６に表示する。なお、前記演算は中央処理部２６に於いて行われる。このように、本ル−チンでは、低周波治療後の患部のインピ−ダンスを測定して、治療前のインピ−ダンスに対する減少率を演算で求め表示することにより、操作者が治療の効果を確認することができる。
【００２０】
次に、本発明の他の実施の形態のインピ−ダンス測定機能付き治療器の動作について、その最適制御低周波治療モ−ドのメインル−チンについてのフロ−チャ−トである図９に基づいて説明する。ステップ１に於いては、患部探査モ−ドル−チンとして、本発明の第一の実施の形態において説明した図６のフロ−チャ−トと同一のものであるので、その詳細については省略する。続いて、ステップ２に於いては、患部治療モ−ドル−チンが実行される。このル−チンでは、まず、図３の接点切り換え回路２１が低周波治療モ−ドに切り換えられる。そして、予め初期値として産記憶部２７に記憶されている低周波治療回路の各制御デ−タに基づいて、低周波治療が患部に対して行われる。次に、ステップ３に於いては、治療後の患部におけるインピ−ダンス測定モ−ドル−チンとして、まず、接点切り換え回路２１がインピ−ダンス測定モ−ドに切り換えられた後、患部のインピ−ダンスを測定し、これを治療後のインピ−ダンスＺ２として図３の記憶部２７に記憶される。さらにステップ４に於いては、治療効果度の演算が行われる。即ち、患部探査モ−ドル−チンで測定される治療前のインピ−ダンスＺｍａｘと今回の治療後のインピ−ダンスＺ２に基づいて、（Ｚｍａｘ−Ｚ２）×１００／Ｚｍａｘの演算が行われ、治療効果度として記憶部２７に記憶される。
【００２１】
続いてステップ５に於いては、ステップ４に於いて演算された治療効果度が、予め記憶部２７に記憶されている基準値を超えているかどうかの判定を中央処理部２６に於いて行い、治療効果度が基準値を超えている場合は、本ル−チンが完了し、基準値を超えていない場合は、次のステップ６に進む。そして、ステップ６に於いては、同じく中央処理部２６に於いて、ステップ４にて前記演算により求められた治療効果度に基づいて、低周波治療回路の各制御デ−タ、即ち、低周波治療パルス数の設定デ−タ、低周波治療出力強度の設定デ−タ及び治療時間の設定デ−タについての最適デ−タが選択され、設定される。この場合、図１０の低周波治療回路の各制御デ−タ表に示すように、低周波治療出力のパルス数デ−タが５Ｈｚ、１０Ｈｚ、２０Ｈｚの３種類、出力強度デ−タが５０Ｖ、１００Ｖ、１５０Ｖの３種類、そして治療時間が２分、３分、５分の３種類で、合計９個のデ−タが、予め記憶部２７のデ−タテ−ブルに記憶されている。そこで、前述の治療効果度に基づいて、パルス数、出力強度及び治療時間についての２７通りの組み合わせの中から最適の組み合わせを一つ選択するようにしている。続いて、ステップ２の患部治療モ−ドル−チンにて再度治療が行われる。このように、図９のル−チンに於いては、治療効果度が予め設定された基準値に達するまでの間、治療を繰り返して行う。また、初回の治療時には、低周波治療回路の各制御デ−タは、予め記憶されている初期デ−タに設定され、２回目以降は、前回の治療時の効果度に基づいて最適な制御デ−タを設定するようにしている。こうすることによって、操作者に設定及び判定作業等の負担をかけることなく、効率的に適性な治療を自動で行う事が出来る。
【００２２】
上記の実施の形態では、低周波治療器の制御デ−タの項目として、低周波パルス数、低周波出力強度及び、治療時間の３項目としたが、低周波パルスの位相を制御デ−タとすることもできる。こうすることによって、より多様な制御が可能となる。また、上記の実施の形態では、治療手段として、低周波パルス機能を備えたものとしたが、患部を過熱する電氣ヒ−タ、或いはマッサ−ジ等の効果が得られるバイブレ−ション等の振動装置を備えるようにしてもよく、さらに複数の機能を組み合わせて、治療するようにしてもよい。このように、複数の治療手段を備えることによって、より患部の症状に合わせた効果的な治療ができる。
【００２３】
【発明の効果】
以上のように、本発明によれば、身体部位のインピ−ダンスを測定することで、直接患部を探査できると共に、患部の治療効果を確認しながら、治療を行うことができる。したがって、家庭等においても、手軽に使用できて、しかも効果的な治療が行える。
【図面の簡単な説明】
【図１】  本発明のインピ−ダンス測定機能付き治療器の外観である。
【図２】  本発明のインピ−ダンス測定機能付き治療器の電極群の平面図である。
【図３】  本発明のインピ−ダンス測定機能付き治療器の構成を示すブロック図である。
【図４】  本発明のインピ−ダンス測定機能付き治療器のメインル−チンのフローチャート。
【図５】  本発明のインピ−ダンス測定機能付き治療器の設定モ−ドル−チンのフローチャート。
【図６】  本発明のインピ−ダンス測定機能付き治療器の患部探査モ−ドル−チンのフローチャート。
【図７】  本発明のインピ−ダンス測定機能付き治療器の患部治療モ−ドル−チンのフローチャート。
【図８】  本発明のインピ−ダンス測定機能付き治療器の治療効果確認モ−ドル−チンのフローチャート。
【図９】  本発明のインピ−ダンス測定機能付き治療器の自動制御治療モ−ドル−チンのフローチャート。
【図１０】本発明のインピ−ダンス測定機能付き治療器の低周波治療回路の制御デ−タ表である。
【付号の説明】
１    治療ヘッド
２ａ〜２ｄ    電極群
３    治療ヘッド下面
４    支持ア−ム
５    操作部
６    表示部
７    電源スイッチ
８    スタ−トスイッチ
９    モ−ド切り換えスイッチ
１０    設定デ−タ選択スイッチ
１１    把持部
２１    接点切り換え回路
２２    インピ−ダンス測定回路
２３    電源部
２４    低周波治療回路
２５    Ｉ／Ｏ
２６    中央処理部
２７    記憶部
【図１】
0005026646.tif 000002
【図２】
0005026646.tif 000003
【図３】
0005026646.tif 000004
【図４】
0005026646.tif 000005
【図５】
0005026646.tif 000006
【図６】
0005026646.tif 000007
【図７】
0005026646.tif 000008
【図８】
0005026646.tif 000009
【図９】
0005026646.tif 000010
【図１０】
0005026646.tif 000011